(57)【特許請求の範囲】
【請求項１】
ラジオ放送と当該ラジオ放送とサイマル放送の関係にある放送である並行放送とを受信可能なラジオ放送受信装置であって、
ラジオ放送を受信し、受信音声を表すオーディオデータを出力するラジオ受信部と、
前記ラジオ受信部が受信しているラジオ放送とサイマル放送の関係にある前記並行放送を受信し、受信音声を表すオーディオデータを出力する並行放送受信部と、
前記ラジオ受信部が出力するオーディオデータに対する前記並行放送が出力するオーディオデータの遅延時間を算出する遅延時間算出部と、
前記ラジオ受信部が出力するオーディオデータを、設定された遅延目標時間分の時間、遅延して出力する遅延部と、
前記遅延時間算出部で算出された遅延時間を前記遅延目標時間として前記遅延部に設定する制御部と、
前記遅延部が出力するオーディオデータと前記並行放送受信部が出力するオーディオデータとのうちの一方を選択的に出力対象オーディオデータとして、出力対象オーディオデータの音声をユーザに対して出力する選択部とを有し、
前記制御部は、前記出力対象オーディオデータを前記遅延部が出力するオーディオデータから前記並行放送受信部が出力するオーディオデータに切り替える際に、前記並行放送受信部に前記並行放送の受信を開始させ、前記並行放送受信部がオーディオデータの出力を開始したならば、前記遅延部に前記ラジオ受信部が出力するオーディオデータを時間軸方向に拡大して出力する時間拡大出力動作を開始させると共に、前記遅延時間算出部に前記遅延時間の算出を開始させ、前記遅延時間算出部が前記遅延時間を算出したならば、算出された遅延時間を前記遅延目標時間として前記遅延部に設定し、前記遅延部から出力されるオーディオデータの遅延時間が前記遅延目標時間に達したならば、前記選択部に、出力対象オーディオデータを前記並行放送受信部が出力するオーディオデータに切り替えさせ、
前記遅延部は、前記遅延目標時間が設定された後、当該遅延部が出力するオーディオデータの遅延が前記遅延目標時間に達するまで、前記時間拡大出力動作を継続して行うことを特徴とするラジオ受信装置。
【請求項２】
請求項１記載のラジオ受信装置であって、
前記遅延部は、
前記遅延目標時間が設定された時点で、当該遅延部が出力するオーディオデータの遅延時間が設定された前記遅延目標時間よりも小さい場合には、当該遅延部が出力するオーディオデータの遅延が前記遅延目標時間に達するまで、前記時間拡大出力動作を継続して行い、
前記遅延目標時間が設定された時点で、当該遅延部が出力するオーディオデータの遅延時間が設定された前記遅延目標時間よりも大きい場合には、前記時間拡大出力動作を停止して、前記ラジオ受信部が出力するオーディオデータを時間軸方向に縮小して出力する時間縮小出力動作を開始し、当該遅延部が出力するオーディオデータの遅延が前記遅延目標時間に達するまで、前記時間縮小出力動作を継続して行うことを特徴とするラジオ受信装置。
【請求項３】
請求項１記載のラジオ受信装置であって、
前記遅延部は、
前記遅延目標時間が設定された時点で、当該遅延部が出力するオーディオデータの遅延時間が設定された前記遅延目標時間よりも小さい場合には、当該遅延部が出力するオーディオデータの遅延が前記遅延目標時間に達した時点で、前記時間拡大出力動作を停止して、前記ラジオ受信部が出力するオーディオデータを遅延目標時間分の時間遅延させて出力する動作を開始し、
前記遅延目標時間が設定された時点で、当該遅延部が出力するオーディオデータの遅延時間が設定された前記遅延目標時間よりも大きい場合には、前記時間拡大出力動作を停止して、前記ラジオ受信部が出力するオーディオデータを時間軸方向に縮小して出力する時間縮小出力動作を開始し、当該遅延部が出力するオーディオデータの遅延が前記遅延目標時間に達した時点で、前記時間縮小出力動作を停止し、前記ラジオ受信部が出力するオーディオデータを遅延目標時間分の時間遅延させて出力する動作を開始し、
前記制御部は、前記出力対象オーディオデータを前記並行放送受信部が出力するオーディオデータから前記遅延部が出力するオーディオデータからに切り替える際に、前記選択部に、出力対象オーディオデータを、前記遅延部が前記遅延目標時間分の時間遅延させて出力しているオーディオデータに切り替えさせることを特徴とするラジオ受信装置。
【請求項４】
請求項１記載のラジオ受信装置であって、
前記制御部は、
前記出力対象オーディオデータを前記遅延部が出力するオーディオデータから前記並行放送受信部が出力するオーディオデータに切り替える際に、前記遅延部に、前記遅延算出部が算出した遅延時間が前記遅延目標時間として設定されている場合には、前記並行放送受信部に前記並行放送の受信を開始させ、前記並行放送受信部がオーディオデータの出力を開始したならば、前記遅延部に前記時間拡大出力動作を開始させることなしに、前記遅延時間算出部に前記遅延時間の算出を開始させ、前記遅延時間算出部が前記遅延時間を算出したならば、算出された遅延時間を前記遅延目標時間として前記遅延部に設定し、前記遅延部から出力されるオーディオデータの遅延時間が前記遅延目標時間に達したならば、前記選択部に、出力対象オーディオデータを前記並行放送受信部が出力するオーディオデータに切り替えさせ、
前記遅延部は、
前記遅延目標時間が設定された時点で、当該遅延部が出力するオーディオデータの遅延時間が設定された前記遅延目標時間よりも小さい場合には、前記時間拡大出力動作を、当該遅延部が出力するオーディオデータの遅延が前記遅延目標時間に達するまで行い、当該遅延部が出力するオーディオデータの遅延が前記遅延目標時間に達したならば、前記時間拡大出力動作を停止し、前記ラジオ受信部が出力するオーディオデータを遅延目標時間分の時間遅延させて出力する動作を開始し、
前記遅延目標時間が設定された時点で、当該遅延部が出力するオーディオデータの遅延時間が設定された前記遅延目標時間よりも大きい場合には、前記ラジオ受信部が出力するオーディオデータを時間軸方向に縮小して出力する時間縮小出力動作を、当該遅延部が出力するオーディオデータの遅延が前記遅延目標時間に達するまで行い、当該遅延部が出力するオーディオデータの遅延が前記遅延目標時間に達したならば、前記時間縮小出力動作を停止し、前記ラジオ受信部が出力するオーディオデータを遅延目標時間分の時間遅延させて出力する動作を開始することを特徴とするラジオ受信装置。
【請求項５】
請求項４記載のラジオ受信装置であって、
前記制御部は、前記出力対象オーディオデータを前記並行放送受信部が出力するオーディオデータから前記遅延部が出力するオーディオデータからに切り替える際に、前記選択部に、出力対象オーディオデータを、前記遅延部が前記遅延目標時間分の時間遅延させて出力しているオーディオデータに切り替えさせることを特徴とするラジオ受信装置。
【請求項６】
請求項１、２、３、４または５記載のラジオ放送受信装置であって、
前記並行放送は、ＩＰラジオ放送であり、
前記並行放送受信部は、ＩＰラジオ放送を受信し、受信音声を表すオーディオデータを出力するＩＰラジオプレイヤであることを特徴とするラジオ放送受信装置。
【請求項７】
請求項１、２、３、４、５または６記載のラジオ放送受信装置であって、
前記ラジオ放送は、デジタルラジオ放送とアナログラジオ放送とのうちの少なくとも一方であることを特徴とするラジオ放送受信装置。
【請求項８】
請求項１、２、３、４、５、６または７記載のラジオ放送受信装置であって、
当該ラジオ放送受信装置は自動車に搭載された車載型のラジオ放送受信装置であることを特徴とするラジオ放送受信装置。
【請求項９】
ラジオ放送と当該ラジオ放送とサイマル放送の関係にある放送である並行放送とを受信可能なラジオ放送受信装置において、ユーザに対して出力する音声を、前記ラジオ放送の受信音声から前記並行放送の受信音声にシームレスに切り替えるシームレス切替放送であって、
前記並行放送の受信を開始するステップと、
前記並行放送の受信音声の受信が開始したならば、前記ラジオ放送の受信音声を時間軸方向に拡大してユーザに対して出力する時間拡大出力動作を開始する共に、前記ラジオ放送の受信音声に対する前記並行放送の受信音声の遅延時間の算出を開始するステップと、
前記遅延時間が算出された後に、前記ラジオ放送の受信音声の前記時間拡大出力動作による遅延時間が前記遅延目標時間に達したならば、ユーザに対して出力する音声を前記並行放送の受信音声に切り替えるステップとを有することを特徴とするシームレス切替方法。
【請求項１０】
請求項９記載のシームレス切替方法であって、
前記並行放送は、ＩＰラジオ放送であり、
前記ラジオ放送は、デジタルラジオ放送とアナログラジオ放送とのうちの少なくとも一方であることを特徴とするシームレス切替方法。
【請求項１１】
請求項９または１０記載のシームレス切替方法であって、
前記ラジオ放送受信装置は自動車に搭載された車載型のラジオ放送受信装置であることを特徴とするシームレス切替方法。
【発明の詳細な説明】
【技術分野】
【０００１】
本発明は、ラジオ放送受信装置において、受信音声を出力中の放送から、当該放送と同内容の放送を行っている他の放送の受信音声に、出力する音声を切り替える技術に関するものである。
【背景技術】
【０００２】
ラジオ放送受信装置において、受信音声を出力中の放送から、当該放送と同内容の放送を行っている他の放送(受信音声を出力中の放送とサイマル放送の関係にある放送)の受信音声に、出力する音声を切り替える技術としては、ＦＭ放送と、ＦＭ放送とサイマル放送の関係にあるＩＰラジオ放送とを受信するラジオ放送受信装置において、ＦＭ放送で受信した音声からＩＰラジオ放送で受信した音声に出力する音声を切り替える際に、ＦＭ放送で受信した音声に対するＩＰラジオ放送で受信した音声の遅延時間を算出し、ＦＭ放送で受信した音声を算出した遅延時間分の時間、時間軸方向に音声を拡大するタイムストレッチにより遅延させた上で、出力する音声をＦＭ放送で受信した音声からＩＰラジオ放送で受信した音声にシームレスの切り替える技術が知られている（たとえば、特許文献１）。
【０００３】
ここで、この技術では、ＩＰラジオ放送で受信した音声と、過去にＦＭ放送で受信した音声とを比較して、ＩＰラジオ放送で最近受信した音声の部分と相関が大きい、過去にＦＭ放送で受信した音声中の音声部分を算定し、ＩＰラジオ放送で最近受信した音声の部分と、過去にＦＭ放送で受信した音声中の算定した音声部分との受信時刻の差を、ＦＭ放送で受信した音声に対するＩＰラジオ放送で受信した音声の遅延時間として算出している。
【先行技術文献】
【特許文献】
【０００４】
【特許文献１】特開２０１３-２０１４６９号公報
【発明の概要】
【発明が解決しようとする課題】
【０００５】
上述した出力する音声をＦＭ放送で受信した音声からＩＰラジオ放送で受信した音声に切り替える技術によれば、出力する音声のＩＰラジオ放送で受信した音声への切替の完了までには、遅延時間の算出に要する時間に、タイムストレッチによって音声を算出した遅延時間分の時間遅延させるのに要する時間を加えた時間が必要となるため、出力する音声のＩＰラジオ放送で受信した音声への切替に比較的長い時間がかかる。
【０００６】
そこで、本発明は、受信中のラジオ放送から受信している音声から当該ラジオ放送と同内容の放送を行っている他の放送から受信している音声への、ユーザに対して出力する音声のシームレスな切替を、より速やかに行うことを課題とする。
【課題を解決するための手段】
【０００７】
前記課題達成のために、本発明は、ラジオ放送と当該ラジオ放送とサイマル放送の関係にある放送である並行放送とを受信可能なラジオ放送受信装置に、ラジオ放送を受信し、受信音声を表すオーディオデータを出力するラジオ受信部と、前記ラジオ受信部が受信しているラジオ放送とサイマル放送の関係にある前記並行放送を受信し、受信音声を表すオーディオデータを出力する並行放送受信部と、前記ラジオ受信部が出力するオーディオデータに対する前記並行放送が出力するオーディオデータの遅延時間を算出する遅延時間算出部と、前記ラジオ受信部が出力するオーディオデータを、設定された遅延目標時間分の時間、遅延して出力する遅延部と、前記遅延時間算出部で算出された遅延時間を前記遅延目標時間として前記遅延部に設定する制御部と、前記遅延部が出力するオーディオデータと前記並行放送受信部が出力するオーディオデータとのうちの一方を選択的に出力対象オーディオデータとして、出力対象オーディオデータの音声をユーザに対して出力する選択部とを備えたものである。ここで、前記制御部は、前記出力対象オーディオデータを前記遅延部が出力するオーディオデータから前記並行放送受信部が出力するオーディオデータに切り替える際に、前記並行放送受信部に前記並行放送の受信を開始させ、前記並行放送受信部がオーディオデータの出力を開始したならば、前記遅延部に前記ラジオ受信部が出力するオーディオデータを時間軸方向に拡大して出力する時間拡大出力動作を開始させると共に、前記遅延時間算出部に前記遅延時間の算出を開始させ、前記遅延時間算出部が前記遅延時間を算出したならば、算出された遅延時間を前記遅延目標時間として前記遅延部に設定し、前記遅延部から出力されるオーディオデータの遅延時間が前記遅延目標時間に達したならば、前記選択部に、出力対象オーディオデータを前記並行放送受信部が出力するオーディオデータに切り替えさせ、前記遅延部は、前記遅延目標時間が設定された後、当該遅延部が出力するオーディオデータの遅延が前記遅延目標時間に達するまで、前記時間拡大出力動作を継続して行うものである。
【０００８】
このようなラジオ放送受信装置によれば、ラジオ放送の受信音声に対する並行放送の受信音声の遅延時間分、ラジオ放送の受信音声を遅延させた上で、出力する音声をラジオ放送の受信音声から並行放送の受信音声に切り替える際に、前記遅延時間を算出した後に、ラジオ放送のオーディオデータを時間軸方向に拡大して出力する時間拡大出力を開始して、ラジオ放送のオーディオデータを徐々に遅延させていくことにより、前記遅延時間分、ラジオ放送のオーディオデータを遅延させるのではなく、遅延時間の算出を待たずに時間拡大出力を開始し、遅延時間の算出の処理と並行して、遅延時間の算出の終了までに、ラジオ放送のオーディオデータを、ある程度遅延させておく。よって、本ラジオ放送受信装置によれば、遅延時間の算出後に、時間拡大出力によってラジオ放送のオーディオデータを算出された遅延時間まで遅延させるのに要する時間は、遅延時間後に時間拡大出力を開始する場合に比べ短くてすむこととなり、出力する音声の、ラジオ放送の受信音声から並行放送の受信音声へのシームレスな切替を速やかに行えるようになる。
【０００９】
ここで、このようなラジオ受信装置は、前記遅延部において、前記遅延目標時間が設定された時点で、当該遅延部が出力するオーディオデータの遅延時間が設定された前記遅延目標時間よりも小さい場合には、当該遅延部が出力するオーディオデータの遅延が前記遅延目標時間に達するまで、前記時間拡大出力動作を継続して行い、前記遅延目標時間が設定された時点で、当該遅延部が出力するオーディオデータの遅延時間が設定された前記遅延目標時間よりも大きい場合には、前記時間拡大出力動作を停止して前記ラジオ受信部が出力するオーディオデータを時間軸方向に縮小して出力する時間縮小出力動作を開始し、当該遅延部が出力するオーディオデータの遅延が前記遅延目標時間に達するまで、前記時間縮小出力動作を継続して行うように構成してもよい。
【００１０】
また、このようなラジオ放送受信装置は、前記遅延部において、前記遅延目標時間が設定された時点で、当該遅延部が出力するオーディオデータの遅延時間が設定された前記遅延目標時間よりも小さい場合には、当該遅延部が出力するオーディオデータの遅延が前記遅延目標時間に達した時点で、前記時間拡大出力動作を停止して、前記ラジオ受信部が出力するオーディオデータを遅延目標時間分の時間遅延させて出力する動作を開始し、前記遅延目標時間が設定された時点で、当該遅延部が出力するオーディオデータの遅延時間が設定された前記遅延目標時間よりも大きい場合には、前記時間拡大出力動作を停止して、前記ラジオ受信部が出力するオーディオデータを時間軸方向に縮小して出力する時間縮小出力動作を開始し、当該遅延部が出力するオーディオデータの遅延が前記遅延目標時間に達した時点で、前記時間縮小出力動作を停止し、前記ラジオ受信部が出力するオーディオデータを遅延目標時間分の時間遅延させて出力する動作を開始すると共に、前記制御部において、前記出力対象オーディオデータを前記並行放送受信部が出力するオーディオデータから前記遅延部が出力するオーディオデータからに切り替える際に、前記選択部に、出力対象オーディオデータを、前記遅延部が前記遅延目標時間分の時間遅延させて出力しているオーディオデータに切り替えさせるように構成してもよい。
【００１１】
また、このようなラジオ受信装置は、前記制御部において、前記出力対象オーディオデータを前記遅延部が出力するオーディオデータから前記並行放送受信部が出力するオーディオデータに切り替える際に、前記遅延部に、前記遅延算出部が算出した遅延時間が前記遅延目標時間として設定されている場合には、前記並行放送受信部に前記並行放送の受信を開始させ、前記並行放送受信部がオーディオデータの出力を開始したならば、前記遅延部に前記時間拡大出力動作を開始させることなしに、前記遅延時間算出部に前記遅延時間の算出を開始させ、前記遅延時間算出部が前記遅延時間を算出したならば、算出された遅延時間を前記遅延目標時間として前記遅延部に設定し、前記遅延部から出力されるオーディオデータの遅延時間が前記遅延目標時間に達したならば、前記選択部に、出力対象オーディオデータを前記並行放送受信部が出力するオーディオデータに切り替えさせるように構成してもよい。ただし、この場合には、前記遅延部において、前記遅延目標時間が設定された時点で、当該遅延部が出力するオーディオデータの遅延時間が設定された前記遅延目標時間よりも小さい場合には、前記時間拡大出力動作を、当該遅延部が出力するオーディオデータの遅延が前記遅延目標時間に達するまで行い、当該遅延部が出力するオーディオデータの遅延が前記遅延目標時間に達したならば、前記時間拡大出力動作を停止し、前記ラジオ受信部が出力するオーディオデータを遅延目標時間分の時間遅延させて出力する動作を開始し、前記遅延目標時間が設定された時点で、当該遅延部が出力するオーディオデータの遅延時間が設定された前記遅延目標時間よりも大きい場合には、前記ラジオ受信部が出力するオーディオデータを時間軸方向に縮小して出力する時間縮小出力動作を、当該遅延部が出力するオーディオデータの遅延が前記遅延目標時間に達するまで行い、当該遅延部が出力するオーディオデータの遅延が前記遅延目標時間に達したならば、前記時間縮小出力動作を停止し、前記ラジオ受信部が出力するオーディオデータを遅延目標時間分の時間遅延させて出力する動作を開始する。
【００１２】
ここで、このようにラジオ受信装置を構成した場合には、前記制御部において、前記選択部に、出力対象オーディオデータを、前記遅延部が前記遅延目標時間分の時間遅延させて出力しているオーディオデータに切り替させるだけで、前記出力対象オーディオデータを前記並行放送受信部が出力するオーディオデータから前記遅延部が出力するオーディオデータにシームレスに切り替えることができる。
【００１３】
ここで、以上のようなラジオ放送受信装置において、前記並行放送は、ＩＰラジオ放送であり、前記並行放送受信部は、ＩＰラジオ放送を受信し、受信音声を表すオーディオデータを出力するＩＰラジオプレイヤであってよい。
【００１４】
また、以上のようなラジオ放送受信装置において、前記ラジオ放送は、デジタルラジオ放送とアナログラジオ放送とのうちの一方、または、双方であってよい。
また、以上のようなラジオ放送受信装置は自動車に搭載された車載型のラジオ放送受信装置であってもよい。
【発明の効果】
【００１５】
以上のように、本発明によれば、受信中のラジオ放送から受信している音声から当該ラジオ放送と同内容の放送を行っている他の放送から受信している音声への、ユーザに対して出力する音声のシームレスな切替をすみやかに行うことができる。
【図面の簡単な説明】
【００１６】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るシームレス切替処理を示すフローチャートである。
【図４】本発明の実施形態に係るシームレス切替処理の動作例を示す図である。
【図５】本発明の実施形態に係るシームレス切替処理の動作例を示す図である。
【発明を実施するための形態】
【００１７】
以下、本発明の実施形態について説明する。
図１に、本実施形態に係るラジオ放送システムの構成を示す。
図示するように、ラジオ放送受信機１は、自動車に搭載されるラジオ放送受信機やポータブルラジオ放送受信機などの位置が移動するラジオ放送受信機１であり、ラジオ放送局２からＤＡＢ、ＤＡＢ＋などの放送規格によるデジタルラジオ放送や、ＦＭラジオ放送などのアナログラジオ放送の受信を行う。また、ラジオ放送受信機１は、移動通信を介してインターネットなどのＷＡＮ３に接続しＷＡＮ３上のＩＰラジオサーバ４からＩＰラジオ放送を受信する。
【００１８】
ここで、ＩＰラジオサーバ４が行うＩＰラジオ放送には、デジタルラジオ放送やアナログラジオ放送とサイマル放送の関係にあるＩＰラジオ放送、すなわち、デジタルラジオ放送やアナログラジオ放送と同内容の放送が行われるＩＰラジオ放送が含まれる。
【００１９】
なお、本実施形態では、デジタルラジオ放送やアナログラジオ放送とサイマル放送の関係にあるＩＰラジオ放送から受信される音声は、必ず、当該ＩＰラジオ放送がサイマル放送の関係にあるデジタルラジオ放送やアナログラジオ放送で放送される音声よりも遅延しているものとする。
【００２０】
次に、図２に、ラジオ放送受信機１の構成を示す。
図示するように、ラジオ放送受信機１は、デジタルラジオ放送を受信し、受信したオーディオデータを再生出力するデジタルラジオチューナ１０１、アナログラジオ放送を受信しアナログラジオ放送で受信した音声をデジタル変換し、オーディオデータとして出力するアナログラジオチューナ１０２、ＩＰラジオ放送を受信し受信したオーディオデータを出力するＩＰラジオプレイヤ１０３を備えている。
【００２１】
ここで、ＩＰラジオプレイヤ１０３は、移動通信を行う移動通信装置１０４を介してＷＡＮ３上のＩＰラジオサーバ４に接続し、ＩＰラジオサーバ４がＩＰラジオ放送で配信しているオーディオストリームを受信し、オーディオデータを再生出力する。ただし、ラジオ放送受信機１に、移動通信装置１０４を備える代わりに、移動通信を行うモバイルフォン５を接続する外部インタフェース１０５を設け、ＩＰラジオプレイヤ１０３において、モバイルフォン５が行う移動通信を介してＷＡＮ３上のＩＰラジオサーバ４に接続し、ＩＰラジオサーバ４がＩＰラジオ放送で配信しているオーディオストリームを受信し再生出力するように構成してもよい。
【００２２】
また、ラジオ放送受信機１は、入力装置１０６、表示装置１０７、制御部１０８を備えている。
また、ラジオ放送受信機１は、デジタルラジオチューナ１０１またはアナログラジオチューナ１０２が出力するオーディオデータを設定された遅延目標時間分、遅延させて出力する遅延部１０９、遅延部１０９から出力されるオーディオデータとＩＰラジオプレイヤ１０３が出力するオーディオデータの一方を選択し出力するセレクタ１１０、セレクタ１１０が出力するオーディオデータをアナログ音声信号に変換し出力するＤＡ変換部１１１、ＤＡ変換部１１１が出力するアナログ音声信号を増幅するアンプ１１２、アンプ１１２が増幅した音声信号で駆動され音声を出力するスピーカ１１３を備えている。
【００２３】
また、ラジオ放送受信機１は、チューナ用メモリ１１４、プレイヤ用メモリ１１５、比較部１１６を備えている。
さて、このような構成において、制御部１０８は、入力装置１０６を介してユーザから特定のラジオ放送局２のラジオ放送の受信を指示されると、受信を指示されたラジオ放送局２がデジタルラジオ放送の放送局であれば、デジタルラジオチューナ１０１を現用チューナとし、受信を指示されたラジオ放送局２がアナログラジオ放送の放送局であればアナログラジオチューナ１０２を現用チューナとし、現用チューナに受信を指示されたラジオ放送局２のラジオ放送の受信と、オーディオデータの出力を開始させる。また、制御部１０８は、チューナ用メモリ１１４とプレイヤ用メモリ１１５の記憶内容をクリアし、遅延部１０９に遅延目標時間として０を設定し、遅延部１０９に現用チューナから入力するオーディオデータを、そのままセレクタ１１０に出力させる。そして、制御部１０８は、セレクタ１１０に遅延部１０９から入力するオーディオデータをＤＡ変換部１１１に出力させることにより、現用チューナで、ユーザから受信を指示されたラジオ放送局２から受信した音声をスピーカ１１３から出力する。
【００２４】
一方、現用チューナから出力されたオーディオデータはチューナ用メモリ１１４に格納される。ここで、チューナ用メモリ１１４への格納は、常時、チューナ用メモリ１１４に所定再生時間分の最新のオーディオデータが格納されている状態となるように行われる。また、チューナ用メモリ１１４に常時格納するオーディオデータの再生時間は、デジタル/アナログラジオ放送に対する、当該デジタル/アナログラジオ放送とサイマル放送の関係にあるＩＰラジオ放送の遅延時間の最大値として見込まれる時間以上となるように設定されている。
【００２５】
以下、このようなラジオ放送受信機１において制御部１０８は、スピーカ１１３に出力する音声を、現用チューナが受信中のラジオ放送で受信した音声と、現用チューナが受信中のラジオ放送とサイマル放送の関係にあるＩＰラジオ放送で受信した音声との間でシームレスに切り替える処理を行う。
【００２６】
以下、このようなシームレスな切替のために、制御部１０８が行うシームレス切替処理について説明する。
図３に、このシームレス切替処理の手順を示す。なお、シームレス切替処理は、ユーザから特定のラジオ放送局２のラジオ放送の受信を指示されたときに起動される。
図示するように、この処理では、ラジオ放送受信機１の状態が、現用チューナが受信しているラジオ放送の音声をスピーカ１１３から出力している状態となるのを待ち（ステップ３０２）、ラジオ放送の音声をスピーカ１１３から出力している状態となったならば、現用チューナにおける受信中のラジオ放送の受信品質の劣化を監視する（ステップ３０４）。ここで、現用チューナの受信中のラジオ放送の受信品質の検出は、現用チューナとなっているデジタルラジオチューナ１０１またはアナログラジオチューナ１０２において受信中のラジオ放送の受信品質を、受信中のラジオ放送の受信電界強度や、ＳＮ比や、誤り発生率などより算定し、制御部１０８が現用チューナにおいて算定されている受信品質を取得することにより行う。
【００２７】
次に、受信中のラジオ放送の受信品質が劣化したならば、ＩＰラジオプレイヤ１０３の、現用チューナが受信中のラジオ放送とサイマル放送の関係にあるＩＰラジオ放送の受信の開始を制御する（ステップ３０６）。
【００２８】
そして、制御部１０８は、ＩＰラジオプレイヤ１０３によるＩＰラジオ放送の受信が開始されたならば（ステップ３０８）、現在、遅延部１０９に設定されている遅延目標時間が０であるかどうかを調べ（ステップ３１０）、０でなければ、そのままステップ３１４に進む。
【００２９】
一方、現在、遅延部１０９に設定されている遅延目標時間が０であれば（ステップ３１０）、遅延部１０９に、遅延部１０９にオーディオデータを当該オーディオデータの音声のピッチを維持したまま時間軸方向に拡大して出力するタイムストレッチ動作を開始させた上で(ステップ３１２)、ステップ３１４に進む。
【００３０】
次に、以上のようにしてステップ３１４に進んだならば、制御部１０８は、現用チューナで受信中のラジオ放送で受信した音声に対する、ＩＰラジオ放送で受信した音声の遅延時間を算出する。
【００３１】
ここで、この遅延時間の算出は次のように行う。
すなわち、制御部１０８は、チューナ用メモリ１１４へのオーディオデータの格納動作を停止することにより、その時点からチューナ用メモリ１１４のオーディオデータの格納内容が変化しないように制御する。
【００３２】
また、制御部１０８は、ＩＰラジオプレイヤ１０３から出力されるＩＰラジオ放送で最初に受信した所定再生時間分のオーディオデータのプレイヤ用メモリ１１５への格納を制御する。
【００３３】
また、制御部１０８は、比較部１１６に、チューナ用メモリ１１４に格納されているオーディオデータの、プレイヤ用メモリ１１５に格納されたオーディオデータとの比較による、チューナ用メモリ１１４に格納されているオーディオデータ中の、プレイヤ用メモリ１１５に格納されたオーディオデータと音声パターンが一致する部分の探索を行わせる。そして、プレイヤ用メモリ１１５に格納されたオーディオデータの受信時刻と、探索されたチューナ用メモリ１１４に格納されたオーディオデータ中の部分の受信時刻との差を遅延時間として算出する。なお、探索されたチューナ用メモリ１１４に格納されたオーディオデータ中の部分の受信時刻は、探索された部分のチューナ用メモリ１１４に格納されたオーディオデータの連続体中の位置より求めることができる。
【００３４】
次に、ステップ３１４で算出した遅延時間を遅延目標時時間として遅延部１０９に設定する（ステップ３１６）。なお、このような遅延時間の遅延目標時時間としての遅延部１０９への設定が行われた場合、以降に行われるステップ３１０では、遅延目標時間が０でないと判定されるようになる。
ここで、遅延目標時間を設定された遅延部１０９は、設定された遅延目標時間と、遅延部１０９から出力されるオーディオデータの遅延部１０９に入力するオーディオデータに対する遅延時間が一致するまで、出力するオーディオデータをタイムストレッチする。すなわち、遅延部１０９は、設定された遅延目標時間が、その時点の遅延部１０９から出力されているオーディオデータの遅延時間より大きい場合には、設定された遅延目標時間と遅延部１０９から出力されるオーディオデータの遅延時間が一致するまで、オーディオデータを当該オーディオデータの音声のピッチを維持したまま時間軸方向に拡大して出力するタイムストレッチ動作を継続する。
【００３５】
一方、設定された遅延目標時間が、その時点の遅延部１０９から出力されるオーディオデータの遅延時間より小さい場合には、遅延部１０９は、設定された遅延目標時間と遅延部１０９から出力されるオーディオデータの遅延時間が一致するまで、オーディオデータを当該オーディオデータの音声ピッチを維持したまま時間軸方向に縮小して出力するタイムストレッチ動作を行う。
【００３６】
なお、オーディオデータのタイムストレッチは、オーディオデータの時間軸方向の長さが元の長さに対して所定の長さ（たとえば、元の長さの２０％）以上変化しないように行う。
【００３７】
そして、遅延部１０９は、設定された遅延目標時間と遅延部１０９から出力されるオーディオデータの遅延時間が一致したならば、タイムストレッチを停止して通常の再生速度によるオーディオデータの出力に復帰すると共に、遅延時間の一致を制御部１０８に報告する。
【００３８】
そして、制御部１０８は、ステップ３１４で算出した遅延時間（遅延目標時間）と遅延部１０９から出力されるオーディオデータの遅延時間が一致し、遅延時間の一致を遅延部１０９から報告されたならば（ステップ３１８）、スピーカ１１３に出力する音声を、ＩＰラジオプレイヤ１０３がＩＰラジオ放送から受信している音声に切り替える（ステップ３２０）。ここで、この時点で、遅延部１０９は、現用チューナがラジオ放送で受信しているオーディオデータに対するＩＰラジオ放送で受信したオーディオデータの遅延時間分、現用チューナがラジオ放送で受信したオーディオデータを遅延させて出力している状態となっているので、セレクタ１１０の出力するオーディオデータの切替により、スピーカ１１３から出力するオーディオデータが、ラジオ放送で受信したオーディオデータからＩＰラジオプレイヤ１０３が出力するオーディオデータに、シームレスに切り替わる。
【００３９】
そして、このようにしてＩＰラジオプレイヤ１０３がＩＰラジオ放送で受信した音声のスピーカ１１３からの出力が開始されたならば、現用チューナの、受信中のラジオ放送の受信品質が良好な受信品質に復帰するのを監視し（ステップ３２２）、受信品質が良好な受信品質に復帰したならば、セレクタ１１０がＤＡ変換部１１１に出力するオーディオデータを遅延部１０９が出力するオーディオデータに切り替えることにより、スピーカ１１３に出力する音声を、現用チューナが受信中のラジオ放送の音声に切り替える（ステップ３２４）。ここで、この時点で、遅延部１０９は、ラジオ放送で受信したオーディオデータに対するＩＰラジオ放送で受信したオーディオデータの遅延時間分、ラジオ放送で受信したオーディオデータを遅延させて出力しているので、セレクタ１１０の出力するオーディオデータの切替により、スピーカ１１３から出力するオーディオデータが、ＩＰラジオプレイヤ１０３が出力するオーディオデータから、ラジオ放送で受信したオーディオデータにシームレスに切り替わる。
【００４０】
そして、チューナ用メモリ１１４へのオーディオデータの格納動作を再開させると共に、ＩＰラジオプレイヤ１０３にＩＰラジオ放送の受信を停止させ（ステップ３２６）、ステップ３０４からの処理に戻る。ここで、ＩＰラジオプレイヤ１０３は、ＩＰラジオ放送の受信を停止する際に、移動通信装置１０４またはモバイルフォン５のＷＡＮ３との間の移動通信を切断する。
【００４１】
以上、制御部１０８が行うシームレス切替処理について説明した。
なお、以上のようなシームレス切替処理は、ユーザから受信中のラジオ放送の受信の終了を指示されると終了する。また、以上のようなシームレス切替処理は、ユーザから新たなラジオ放送局２の受信を指示されたときに再起動される。
【００４２】
以下、このようなシームレス切替処理の処理例について説明する。
まず、図４に、シームレス切替処理の第１の処理例について示す。
いま、所定時間長（たとえば、２ms）の再生時間を単位時間として、図５中の、数字を囲む各四角形は、単位時間分のオーディオデータ、音声を表している。また、「‘」無しの数字を囲む四角形は、現用チューナがラジオ放送（デジタルラジオ放送またはアナログラジオ放送）で受信したオーディオデータ、音声を、「‘」付きの数字を囲む四角形は、ＩＰラジオプレイヤ１０３がＩＰラジオラジオ放送で受信したオーディオデータ、音声を表している。また、各四角形中の数字の値が等しい四角形は（たとえば、「４」と「 ４'」）は、同内容のオーディオデータ、音声を表している。また、チューナ用メモリ１１４は、５つの単位時間分のオーディオデータを格納するものとする。
【００４３】
いま、時刻Ｔ０において遅延部１０９に遅延目標時間として０が設定されているものとして、時刻Ｔ０から時刻Ｔ１までの受信品質が良好な状態で現用チューナがラジオ放送を受信している期間中、セレクタ１１０は、遅延部１０９から出力されるオーディオデータをＤＡ変換部１１１に出力するように設定されており、現用チューナがラジオ放送から受信しているオーディオデータ（０-３）は、遅延部１０９で遅延されずにセレクタ１１０、ＤＡ変換部１１１、アンプ１１２を介してスピーカ１１３から出力される。また、現用チューナが順次出力するオーディオデータ（０-３）はチューナ用メモリ１１４に順次格納され、やがて、チューナ用メモリ１１４は、常時、５単位時間長分のオーディオデータが格納されている状態となる。
【００４４】
この状態で、時刻Ｔ１でラジオ放送の受信品質の劣化が検出されると、現用チューナが受信中のラジオ放送とサイマル放送の関係にあるＩＰラジオ放送の受信動作がＩＰラジオプレイヤ１０３において開始される。そして、時刻Ｔ２で、ＩＰラジオ放送のオーディオデータの受信が開始される。一方、時刻Ｔ１から時刻Ｔ２の間も、現用チューナがラジオ放送から受信しているオーディオデータ（４-５）は、遅延部１０９で遅延されずに、セレクタ１１０、ＤＡ変換部１１１、アンプ１１２を介してスピーカ１１３から出力され続けると共に、オーディオデータ（４-５）はチューナ用メモリ１１４に順次格納される。
【００４５】
そして、時刻Ｔ２で、ＩＰラジオ放送のオーディオデータの受信が開始されると、チューナ用メモリ１１４へのオーディオデータの格納は停止されチューナ用メモリ１１４への記憶内容が凍結される。また、ＩＰラジオ放送で最初に受信したオーディオデータ（４'）がプレイヤ用メモリ１１５に格納される。
【００４６】
また、時刻Ｔ２で、ＩＰラジオ放送のオーディオデータの受信が開始されると、比較部１１６において比較による探索が開始され、時刻Ｔ２-Ｔ３において、チューナ用メモリ１１４に格納されているオーディオデータ（１-５）の連続体中から、プレイヤ用メモリ１１５のオーディオデータ（４'）と音声パターンが同じオーディオデータが探索され、探索されたオーディオデータ（４）のチューナ用メモリ１１４に格納されているオーディオデータ（１-５）の連続体中の格納位置より求まる探索されたオーディオデータ（４）の受信時刻より、ラジオ放送で受信したオーディオデータに対するＩＰラジオ放送で受信したオーディオデータの遅延時間が算出される。ここでは、時刻Ｔ２-Ｔ３において、プレイヤ用メモリ１１５のオーディオデータ（４'）とチューナ用メモリ１１４のオーディオデータ（４）とが一致し、２単位時間が遅延時間として算出される。
【００４７】
また、時刻Ｔ２で、ＩＰラジオ放送のオーディオデータの受信が開始されると、時刻Ｔ３で遅延時間が算出されるまで、遅延部１０９において、現用チューナから入力するオーディオデータをピッチを維持したまま時間軸方向に拡大して出力するタイムストレッチ動作が開始され、時間軸方向に拡大されたオーディオデータ（６）が、セレクタ１１０、ＤＡ変換部１１１、アンプ１１２を介してスピーカ４から出力される
そして、時刻Ｔ３において遅延時間が算出されたならば、算出された遅延時間が遅延目標時間として遅延部１０９に設定される。遅延部１０９は、設定された遅延目標時間（２単位時間）が、この時点の遅延時間（１単位時間）より大きいので、現用チューナから入力するオーディオデータをピッチを維持したまま時間軸方向に拡大して出力するタイムストレッチ動作を継続し、時間軸方向に拡大したオーディオデータ（７）を、セレクタ１１０、ＤＡ変換部１１１、アンプ１１２を介してスピーカ１１３から出力する。
【００４８】
そして、時間軸方向に拡大したオーディオデータ（７）の出力を完了した時刻Ｔ４で、遅延部１０９に入力するオーディオデータに対する遅延部１０９から出力するオーディオデータの遅延時間（２単位時間）が、設定された遅延目標時間（２単位時間）に一致したならば、セレクタ１１０がＤＡ変換部１１１に出力するオーディオデータを、遅延部１０９から出力されるオーディオデータからＩＰラジオプレイヤ１０３が出力するオーディオデータに切り替える。結果、スピーカ１１３から出力される音声がデジタルラジオ放送またはアナログラジオ放送で受信した音声からＩＰラジオ放送で受信した音声に切り替わり、ＩＰラジオプレイヤ１０３が出力するオーディオデータ（８’-１３'）が、セレクタ１１０、ＤＡ変換部１１１、アンプ１１２を介してスピーカ１１３から出力されるようになる。
【００４９】
ここで、時刻Ｔ４においては、遅延部１０９は、現用チューナがラジオ放送で受信したオーディオデータに対するＩＰラジオ放送で受信したオーディオデータの遅延時間分、ラジオ放送で受信したオーディオデータを遅延させて出力している状態となっているので、スピーカ１１３から出力するオーディオデータが、ラジオ放送で受信したオーディオデータからＩＰラジオプレイヤ１０３が出力するオーディオデータに、シームレスに切り替わる。
【００５０】
図示するように、この例では、遅延時間の算出に２単位時間、タイムストレッチによる遅延が遅延目標時間に達するまでに４単位時間を要している。また、時刻Ｔ２でＩＰラジオ放送のオーディオデータの受信を開始してから４単位時間後の時刻Ｔ４でシームレスな切り替えが実行されている。一方、遅延時間の算出後にタイムストレッチによる遅延を開始した場合に、ＩＰラジオ放送のオーディオデータの受信を開始してからシームレスな切り替えが行われるまでに要することになる時間は６単位時間（２単位時間+４単位時間）となる。よって、本実施形態によれば、遅延時間の算出後にタイムストレッチによる遅延を開始した場合に比べ、よりすみやかに、出力音声のシームレスな切替を行うことができる。
さて、次に、時間軸方向に拡大したオーディオデータ（７）の出力を完了した時刻Ｔ４で、遅延部１０９のタイムストレッチは停止され、時刻Ｔ４以降は、遅延部１０９からは通常の再生速度で、現用チューナがラジオ放送から受信しているオーディオデータ（８-１５）が出力される。
【００５１】
ここで、遅延部１０９は内部にFIFO型のバッファを備えており、遅延目標時間として０以上の時間が設定されているときには、入力するオーディオデータをバッファに格納しながら、バッファからオーディオデータを取り出して、オーディオデータ（６-７）のようにタイムストレッチして、または、オーディオデータ（８-１５）のようにタイムストレッチせずに遅延目標時間分の時間遅延させて出力する。なお、図中のバッファの太枠の四角形のオーディオデータは、遅延部１０９が出力中のオーディオデータを表している。
【００５２】
次に、ＩＰラジオプレイヤ１０３が出力するオーディオデータ（８’-１３'）のスピーカ１１３への出力が完了した時刻Ｔ５で現用チューナの受信品質が良好な受信品質に復帰すると、セレクタ１１０がＤＡ変換部１１１に出力するオーディオデータを、ＩＰラジオプレイヤ１０３が出力するオーディオデータから、遅延部１０９から出力されるオーディオデータに切り替える。そして、時刻Ｔ５以降は、現用チューナがラジオ放送から受信し、遅延部１０９でラジオ放送で受信したオーディオデータに対するＩＰラジオ放送で受信したオーディオデータの遅延時間分、遅延されたオーディオデータ（１４-１５）がセレクタ１１０、ＤＡ変換部１１１、アンプ１１２を介してスピーカ１１３から出力される。
【００５３】
ここで、この時刻Ｔ５においては、遅延部１０９は、ラジオ放送で受信したオーディオデータに対するＩＰラジオ放送で受信したオーディオデータの遅延時間分（２単位時間）、ラジオ放送で受信したオーディオデータを遅延させて出力しているので、スピーカ１１３から出力するオーディオデータが、ＩＰラジオプレイヤ１０３が出力するオーディオデータから、ラジオ放送で受信したオーディオデータに、シームレスに切り替わる。
【００５４】
次に、図５にシームレス切替処理の第２の処理例を示す。
第２の処理例は、図４に示した第１の処理例よりも、現用チューナが受信しているラジオ放送のオーディオデータに対するＩＰラジオ放送のオーディオデータの遅延時間が小さく、遅延時間の算出に長時間を要する場合についての例である。
図５において、時刻Ｔ０で遅延部１０９に遅延目標時間として０が設定されているものとして、時刻Ｔ０から時刻Ｔ１までの受信品質が良好な状態で現用チューナがラジオ放送を受信している期間中、セレクタ１１０は、遅延部１０９から出力されるオーディオデータをＤＡ変換部１１１に出力するように設定されており、現用チューナがラジオ放送から受信しているオーディオデータ（０-３）は、遅延部１０９で遅延されずにセレクタ１１０、ＤＡ変換部１１１、アンプ１１２を介してスピーカ１１３から出力される。また、現用チューナが順次出力するオーディオデータ（０-３）はチューナ用メモリ１１４に順次格納され、やがて、チューナ用メモリ１１４は、常時、５単位時間長分のオーディオデータが格納されている状態となる。
【００５５】
この状態で、時刻Ｔ１でラジオ放送の受信品質の劣化が検出されると、現用チューナが受信中のラジオ放送とサイマル放送の関係にあるＩＰラジオ放送の受信動作がＩＰラジオプレイヤ１０３において開始される。そして、時刻Ｔ２で、ＩＰラジオ放送のオーディオデータの受信が開始される。一方、時刻Ｔ１から時刻Ｔ２の間も、現用チューナがラジオ放送から受信しているオーディオデータ（４-５）は、遅延部１０９で遅延されずに、セレクタ１１０、ＤＡ変換部１１１、アンプ１１２を介してスピーカ１１３から出力され続けると共に、オーディオデータ（４-５）はチューナ用メモリ１１４に順次格納される。
【００５６】
そして、時刻Ｔ２で、ＩＰラジオ放送のオーディオデータの受信が開始されると、チューナ用メモリ１１４へのオーディオデータの格納は停止されチューナ用メモリ１１４への記憶内容が凍結される。また、ＩＰラジオ放送で最初に受信したオーディオデータ（５'）がプレイヤ用メモリ１１５に格納される。
【００５７】
また、時刻Ｔ２で、ＩＰラジオ放送のオーディオデータの受信が開始されると、比較部１１６において比較による探索が開始され、時刻Ｔ２-Ｔ３において、チューナ用メモリ１１４に格納されているオーディオデータ（１-５）の連続体中から、プレイヤ用メモリ１１５のオーディオデータ（５'）と音声パターンが同じオーディオデータが探索され、探索されたオーディオデータ（５）のチューナ用メモリ１１４に格納されているオーディオデータ（１-５）の連続体中の格納位置より求まる探索されたオーディオデータ（５）の受信時刻より、ラジオ放送で受信したオーディオデータに対するＩＰラジオ放送で受信したオーディオデータの遅延時間が算出される。ここでは、時刻Ｔ２-Ｔ３において、プレイヤ用メモリ１１５のオーディオデータ（５'）とチューナ用メモリ１１４のオーディオデータ（５）とが一致し、１単位時間が遅延時間として算出される。
【００５８】
また、時刻Ｔ２で、ＩＰラジオ放送のオーディオデータの受信が開始されると、時刻Ｔ３で遅延時間が算出されるまで、遅延部１０９において、現用チューナから入力するオーディオデータをピッチを維持したまま時間軸方向に拡大して出力するタイムストレッチ動作が開始され、時間軸方向に拡大されたオーディオデータ（６）-（７）が、セレクタ１１０、ＤＡ変換部１１１、アンプ１１２を介してスピーカ４から出力される
そして、時刻Ｔ３において遅延時間が算出されたならば、算出された遅延時間が遅延目標時間として遅延部１０９に設定される。遅延部１０９は、設定された遅延目標時間（１単位時間）が、この時点の遅延時間（２単位時間）より小さいので、現用チューナから入力するオーディオデータをピッチを維持したまま時間軸方向に縮小して出力するタイムストレッチ動作を開始し、時間軸方向に縮小したオーディオデータ（８）-（９）を、セレクタ１１０、ＤＡ変換部１１１、アンプ１１２を介してスピーカ１１３から出力する。
【００５９】
そして、時間軸方向に縮小したオーディオデータ（９）の出力を完了した時刻Ｔ４で、遅延部１０９に入力するオーディオデータに対する遅延部１０９から出力するオーディオデータの遅延時間（１単位時間）が、設定された遅延目標時間（１単位時間）に一致したならば、セレクタ１１０がＤＡ変換部１１１に出力するオーディオデータを、遅延部１０９から出力されるオーディオデータからＩＰラジオプレイヤ１０３が出力するオーディオデータに切り替える。結果、スピーカ１１３から出力される音声が現用チューナで受信中のデジタルラジオ放送またはアナログラジオ放送で受信した音声からＩＰラジオ放送で受信した音声に切り替わり、ＩＰラジオプレイヤ１０３が出力するオーディオデータ（１０’-１４'）が、セレクタ１１０、ＤＡ変換部１１１、アンプ１１２を介してスピーカ１１３から出力されるようになる。
【００６０】
ここで、時刻Ｔ４においては、遅延部１０９は、ラジオ放送で受信したオーディオデータに対するＩＰラジオ放送で受信したオーディオデータの遅延時間分、ラジオ放送で受信したオーディオデータを遅延させて出力している状態となっているので、スピーカ１１３から出力するオーディオデータが、ラジオ放送で受信したオーディオデータからＩＰラジオプレイヤ１０３が出力するオーディオデータに、シームレスに切り替わる。
【００６１】
図示するように、この例では、時刻Ｔ２でＩＰラジオ放送のオーディオデータの受信を開始してから５単位時間後の時刻Ｔ４でシームレスな切り替えが実行されている。一方、遅延時間の算出後にタイムストレッチによる遅延を開始した場合に、ＩＰラジオ放送のオーディオデータの受信を開始してからシームレスな切り替えが行われるまでに要することになる時間は、時間軸方向に拡大するタイムストレッチによって１単位時間オーディオデータを遅延せるのに要する時間が、この例では２単位時間となるので、合計６単位時間（４単位時間+２単位時間）となる。よって、この例においても、遅延時間の算出後にタイムストレッチによる遅延を開始した場合に比べ、よりすみやかに、出力音声のシームレスな切替を行うことができる。
さて、次に、時間軸方向に縮小したオーディオデータ（９）の出力を完了した時刻Ｔ４で、遅延部１０９のタイムストレッチは停止され、時刻Ｔ４以降は、遅延部１０９からは通常の再生速度で、現用チューナがラジオ放送から受信しているオーディオデータ（１０-１６）が出力される。
【００６２】
次に、ＩＰラジオプレイヤ１０３が出力するオーディオデータ（１０’-１４'）のスピーカ１１３への出力が完了した時刻Ｔ５で現用チューナの受信品質が良好な受信品質に復帰すると、セレクタ１１０がＤＡ変換部１１１に出力するオーディオデータを、ＩＰラジオプレイヤ１０３が出力するオーディオデータから、遅延部１０９から出力されるオーディオデータに切り替える。そして、時刻Ｔ５以降は、現用チューナがラジオ放送から受信し、遅延部１０９でラジオ放送で受信したオーディオデータに対するＩＰラジオ放送で受信したオーディオデータの遅延時間分、遅延されたオーディオデータ（１５-１６）がセレクタ１１０、ＤＡ変換部１１１、アンプ１１２を介してスピーカ１１３から出力される。
【００６３】
ここで、この時刻Ｔ５においては、遅延部１０９は、ラジオ放送で受信したオーディオデータに対するＩＰラジオ放送で受信したオーディオデータの遅延時間分（１単位時間）、ラジオ放送で受信したオーディオデータを遅延させて出力しているので、スピーカ１１３から出力するオーディオデータが、ＩＰラジオプレイヤ１０３が出力するオーディオデータから、ラジオ放送で受信したオーディオデータに、シームレスに切り替わる。
【００６４】
以上、本発明の実施形態について説明した。
以上のように、本実施形態によれば、現用チューナが受信した音声を、当該音声に対するＩＰラジオ放送で受信した音声の遅延時間分、遅延させた上で、出力する音声を、現用チューナが受信した音声から、ＩＰラジオ放送で受信した音声に切り替える際に、遅延時間を算出した後に、現用チューナが受信した音声を時間軸方向に拡大して出力するタイムストレッチを開始して、当該音声を徐々に遅延させていくことにより、前記遅延時間分、音声を遅延させるのではなく、遅延時間の算出を待たずに、音声を時間軸方向に拡大して出力するタイムストレッチを開始し、遅延時間の算出の処理の完了までに、現用チューナが受信した音声を、ある程度遅延させておく。よって、遅延時間の算出後に、タイムストレッチで現用チューナが受信した音声を算出された遅延時間分、遅延させるのに要する時間は、遅延時間後にタイムストレッチを開始する場合に比べ短くてすむ。よって、本実施形態によれば、出力する音声の、デジタルラジオ放送またはアナログラジオ放送で受信した音声から、ＩＰラジオ放送で受信した音声への切替を、速やかに行えるようになる。
【００６５】
ここで、以上の実施形態に係るラジオ放送受信機１には、ＩＰラジオプレイヤ１０３に代えて、デジタルラジオ放送やアナログラジオ放送とサイマル放送の関係にある、任意の放送方式、放送媒体の放送を受信する受信機を備えるようにしてもよい。なお、この場合には、ＩＰラジオプレイヤ１０３が出力するオーディオデータと同様に、ＩＰラジオプレイヤ１０３に代えて備えた受信機の出力するオーディオデータを処理するようにする。
【符号の説明】
【００６６】
１…ラジオ放送受信機、２…ラジオ放送局、３…ＷＡＮ、４…ＩＰラジオサーバ、５…モバイルフォン、１０１…デジタルラジオチューナ、１０２…アナログラジオチューナ、１０３…ＩＰラジオプレイヤ、１０４…移動通信装置、１０５…外部インタフェース、１０６…入力装置、１０７…表示装置、１０８…制御部、１０９…遅延部、１１０…セレクタ、１１１…ＤＡ変換部、１１２…アンプ、１１３…スピーカ、１１４…チューナ用メモリ、１１５…プレイヤ用メモリ、１１６…比較部。
【図１】
0006431439.tif 000002
【図２】
0006431439.tif 000003
【図３】
0006431439.tif 000004
【図４】
0006431439.tif 000005
【図５】
0006431439.tif 000006